(57)【特許請求の範囲】
【請求項１】
第１筐体と第２筐体を備え、これら第１筐体と第２筐体を互いに重ね合わせた状態で相対的にスライド可能に係合させ、前記第１筐体及び前記第２筐体のいずれか一方の筐体の上面を前記第１筐体及び前記第２筐体のいずれか他方の筐体で覆う閉成状態と前記一方の筐体の上面を露出させる開成状態とを形成するように構成した携帯機器であって、
前記第１筐体と第２筐体の間に設けられたスライド機構と、
前記第２筐体の下面側のスライド方向に設けられた一端部側にロック凹部を有する係合溝と、前記第1筐体の側部に一方向へ摺動付勢されて設けられた解除ボタンと、この解除ボタンと共に摺動可能に設けられ前記係合溝内に嵌入させたロック凸部と、前記第１筐体の側へ取り付けられたゼンマイバネユニットと、このゼンマイバネユニットと前記第２筐体の側とをつなぐワイヤー線と、で構成し、前記第１筐体と前記第２筐体が互いに重なり合った閉成状態においては、前記ワイヤー線が延びて前記ロック凸部が前記係合溝のロック凹部と係合することにより閉成状態を保っているが、前記解除ボタンを押して前記ロック凸部の前記ロック凹部に対する係合状態を解くと、前記第２筐体は前記ワイヤー線に牽引されて前記第１筐体の上面をスライドすることにより、自動的に開かれるように成したことを特徴とする、携帯機器。
【請求項２】
第１筐体と第２筐体を備え、これら第１筐体と第２筐体を互いに重ね合わせた状態で相対的に前記第１筐体及び前記第２筐体の厚さ方向に延びる軸を中心に回動可能に連結させ、前記第１筐体及び前記第２筐体のいずれか一方の筐体の上面を前記第１筐体及び前記第２筐体のいずれか他方の筐体で覆う閉成状態と前記一方の筐体の上面を露出させる開成状態とを形成するように構成した携帯機器であって、
前記第１筐体と第２筐体の間の各一側部側に前記第１筐体と前記第２筐体を相対的に水平方向へ回転させるヒンジ装置を設け、前記第１筐体の側にゼンマイバネユニットを設けると共に、前記ゼンマイバネユニットと前記第２筐体との間をワイヤー線でつなぎ、このワイヤー線を前記ヒンジ装置の軸部を回って前記第２筐体に接続させることにより、前記第２筐体を前記第１筐体に対して一方向へ１８０°水平回転可能と成るように構成したことを特徴とする、携帯機器。
【請求項３】
前記ゼンマイバネユニットが、前記一方の筐体に設けられるゼンマイバネ本体と、このゼンマイバネ本体に渦巻状に巻回されて前記ゼンマイバネ本体に引き込まれるように付勢され、先端部が前記他方の筐体に取り付けられる長尺部材とを有することを特徴とする、請求項１又は２に記載の携帯機器。
【請求項４】
前記長尺部材が、ワイヤー線で形成されていることを特徴とする、請求項３に記載の携帯機器。
【発明の詳細な説明】
【技術分野】
【０００１】
本発明は、第１筐体と第２筐体を相対的にスライドさせる際に用いられて好適な携帯機器に関するものである。
【背景技術】
【０００２】
携帯機器の一種である携帯電話機において、キーボード部やマイク部等を上面に設けた送話部としての第１筐体と、ディスプレイ部やスピーカー部等を上面に設けた受話部としての第２筐体とを有し、これらの第１筐体と第２筐体が完全に重なり合って第２筐体で第１筐体の上面を覆う閉成状態と、第２筐体を第１筐体に対して長手方向へスライドさせて第１筐体の上面を露出させる開成状態とを作り出す、スライド機構付きのものが市場に出回っている。このようなスライド機構を有する携帯電話機としては、下記する特許文献１に記載されたものが公知である。
【特許文献１】特開２００３−１２５０５２号公報
【発明の開示】
【発明が解決しようとする課題】
【０００３】
この特許文献１に記載されたものは、スライドカバーとロックプレートを重ね合わせて固着したスライドケースを第２筐体の下面に取り付けると共に、スライドケース内に摺動可能に収装したスライダーを第１筐体の上面に取り付けることで、第２筐体を第１筐体に対してスライドさせることができるという構成のものであった。このような構成であると、第１筐体と第２筐体の相対的操作、即ち、スライド操作は全て手動で行わなくてはならず、操作性の点で難点があった。
【０００４】
このため、スライダーとスライドケースとの間に、スライダーを開方向に摺動付勢させる付勢手段としてコンプレッションスプリングを設けることが提案されている。これにより、第２筐体を第１筐体に対してスライドさせて閉成状態から開成状態にする場合には、自動的に開動作を行えることになるが、しかし、コンプレッションスプリングにより第１筐体及び第２筐体を互いにスライドさせる場合、コンプレッションスプリングが可動するスライドストロークが第１筐体及び第２筐体の長手方向に長くなって大きなスペースが必要となった。
【０００５】
また、第１筐体及び第２筐体を互いにスライドさせる場合、側面視直線状にスライドさせて開成状態にすると、第１筐体の上面と第２筐体の下面とが略同一平面上に位置されることがある。この場合、例えば、第１筐体の上面の後端部近傍にマイク部が設けられていると共に、第２筐体の下面の前端部近傍にスピーカー部が設けられているので、通話を行うときには、第１筐体のマイク部を口元に、第２筐体のスピーカー部を耳元に近づけることができなかった。また、第２筐体の上面のディスプレイ部に表示された画像を見ながら第１筐体のキーボード部の操作がし難いことがあり、使い勝手が悪かった。
【０００６】
このため、側面視湾曲状にスライドさせることが提案されるが、コンプレッションスプリングは湾曲状に第１筐体及び第２筐体を付勢させることが難しいために、ストレート動作させるストレート動作ユニットに、このストレート動作ユニットのスライド方向とは直交する方向に移動可能な別機構を設ける必要があり、構造が複雑となる。
【０００７】
本発明は、前記課題を解決するためになされたものであって、その目的は、小スペース化を図れると共に簡単な構造で湾曲状にもスライドさせることができる携帯機器を提供することにある。
【課題を解決するための手段】
【０００８】
前記の目的を達成するための本発明に係る携帯機器は、第１筐体と第２筐体を備え、これら第１筐体と第２筐体を互いに重ね合わせた状態で相対的にスライド可能に係合させ、前記第１筐体及び前記第２筐体のいずれか一方の筐体の上面を前記第１筐体及び前記第２筐体のいずれか他方の筐体で覆う閉成状態と前記一方の筐体の上面を露出させる開成状態とを形成するように構成した携帯機器であって、前記第１筐体と第２筐体の間に設けられたスライド機構と、前記第２筐体の下面側のスライド方向に設けられた一端部側にロック凹部を有する係合溝と、前記第1筐体の側部に一方向へ摺動付勢されて設けられた解除ボタンと、この解除ボタンと共に摺動可能に設けられ前記係合溝内に嵌入させたロック凸部と、前記第１筐体の側へ取り付けられたゼンマイバネユニットと、このゼンマイバネユニットと前記第２筐体の側とをつなぐワイヤー線と、で構成し、前記第１筐体と前記第２筐体が互いに重なり合った閉成状態においては、前記ワイヤー線が延びて前記ロック凸部が前記係合溝のロック凹部と係合することにより閉成状態を保っているが、前記解除ボタンを押して前記ロック凸部の前記ロック凹部に対する係合状態を解くと、前記第２筐体は前記ワイヤー線に牽引されて前記第１筐体の上面をスライドすることにより、自動的に開かれるように成したことを特徴とする。
【０００９】
また、前記の目的を達成するための本発明に係る携帯機器は、第１筐体と第２筐体を備え、これら第１筐体と第２筐体を互いに重ね合わせた状態で相対的に前記第１筐体及び前記第２筐体の厚さ方向に延びる軸を中心に回動可能に連結させ、前記第１筐体及び前記第２筐体のいずれか一方の筐体の上面を前記第１筐体及び前記第２筐体のいずれか他方の筐体で覆う閉成状態と前記一方の筐体の上面を露出させる開成状態とを形成するように構成した携帯機器であって、前記第１筐体と第２筐体の間の各一側部側に前記第１筐体と前記第２筐体を相対的に水平方向へ回転させるヒンジ装置を設け、前記第１筐体の側にゼンマイバネユニットを設けると共に、前記ゼンマイバネユニットと前記第２筐体との間をワイヤー線でつなぎ、このワイヤー線を前記ヒンジ装置の軸部を回って前記第２筐体に接続させることにより、前記第２筐体を前記第１筐体に対して一方向へ１８０°水平回転可能と成るように構成したことを特徴とする。
【００１０】
これらの発明によれば、第１筐体及び第２筐体が閉成状態のときに、解除部によりロック手段によるロックを解除すると、ゼンマイバネユニットの付勢力により第１筐体及び第２筐体が閉成状態から自動的にスライド又は回動して開成状態となる。このため、第１筐体及び第２筐体をゼンマイバネユニットによってスライドさせるのに必要なスペースは、ゼンマイバネユニットが可動する範囲、すなわち、ワイヤー線等の長尺部材が可動する範囲だけであるので、小スペース化を図れる。また、ゼンマイバネユニットは、可動媒体が長尺部材例えばワイヤー線であると、直線状に限定されずに湾曲状でもＲ状でも長尺部材を配置して第１筐体及び第２筐体をスライドさせることができる。
【００１１】
本発明に係る携帯機器において、前記ゼンマイバネユニットが、前記一方の筐体に設けられるゼンマイバネ本体と、このゼンマイバネ本体に渦巻状に巻回されて前記ゼンマイバネ本体に引き込まれるように付勢され、先端部が前記他方の筐体に取り付けられている長尺部材とを有することが好ましい。また、本発明に係る携帯機器において、前記長尺部材が、ワイヤー線で形成されていることが好ましい。
【発明の効果】
【００１２】
以上説明したように本発明に係る携帯機器によれば、第１筐体及び第２筐体を閉成状態にロックするロック手段と、一方の筐体に設けられ、ロック手段によるロックを解除する解除部と、第１筐体及び第２筐体を閉成状態から開成状態になるように付勢するゼンマイバネユニットとを備えたので、小スペース化を図れると共に簡単な構造で湾曲状にもスライドさせることができる。
【発明を実施するための最良の形態】
【００１３】
以下、本発明に係る携帯機器の一例を添付図面に基づいて詳述する。
【００１４】
図１〜図３は本発明に係る携帯機器である第１の携帯電話機の一例を示す図である。本発明に係る第１の携帯電話機は、図１〜図３に示すように、第１筐体２と第２筐体３を互いに重ね合わせた状態で相対的にスライド可能に係合させ、第１筐体２及び第２筐体３のいずれか一方の筐体例えば第１筐体２の上面を第１筐体２及び第２筐体３のいずれか他方の筐体例えば第２筐体３の下面で覆う閉成状態（図１（ａ）、（ｃ）、（ｅ）及び図３（ａ）参照。）と、第１筐体２の上面を露出させる開成状態（図１（ｂ）、（ｄ）、（ｆ）及び図３（ｂ）参照。）とを形成するものである。本発明に係る第１の携帯電話機１は、第１筐体２及び第２筐体３を閉成状態にロックするロック手段４と、第１筐体２に設けられ、ロック手段４によるロックを解除する解除部５と、第１筐体２及び第２筐体３を閉成状態から開成状態になるように付勢するゼンマイバネユニット６とを備えたことに特徴がある。
【００１５】
本発明に係る携帯機器としては、特に限定されず、例えば、携帯電話機、ザウルス（商標）等の携帯情報端末機、電卓、ポケットコンピュータ、携帯ゲーム機等が挙げられ、特に携帯電話機が好ましいものとして挙げられる。なお、本発明において携帯機器としては、その他、灰皿、ケース蓋等も含まれる。すなわち、２つの筐体を互いにスライド又は回動させるものであれば特に限定されない。また、本実施の形態では、携帯機器として携帯電話機１について説明するが、これに限定されるものではない。
【００１６】
第１筐体２は、携帯電話機１の送話部を構成するものであり、キーボード部２ａやマイク部（図示せず）等を上面に有している。第１筐体２は、細長の略矩形状に形成されている。第２筐体３は、同じく携帯電話機１の受話部を構成するものであり、ＬＣＤなどのディスプレイ部３ａ、スピーカー部（図示せず）、カメラ部（図示せず）等を上面に有している。第２筐体３は、第１筐体２と略同じ細長の略矩形状に形成されている。
【００１７】
これらの第１筐体２と第２筐体３とが互いに重ね合わされた閉成状態から例えば第１筐体２に対して第２筐体３をその長手方向に相対的にスライド可能に第１筐体２と第２筐体３とが連結されて携帯電話機１が構成されている。すなわち、この携帯電話機１は、第１筐体２の上面に第２筐体３の下面が互いに重ね合わされてキーボード部２ａ等を閉塞すると共に、第１筐体２の上面から第２筐体３の下面がスライド移動してキーボード部２ａ等を露出させることができるようになっている。
【００１８】
第１筐体２と第２筐体３とのスライド係合は、特に限定されず、どのように構成してもよく、例えば、第１筐体２の上面の両側部近傍にそれぞれ設けられたガイド溝１１と、このガイド溝１１に係合し、第２筐体３に設けられたガイド部材１２とで行うようにしてもよい。ガイド溝１１は、例えば、第１筐体２の上面の両側部近傍に、その長手方向に延びて設けられている。このガイド溝１１は、第１筐体２の後端部近傍から前端部まで設けられている。ガイド部材１２は、例えば、第２筐体３の下部近傍のガイド部材取付部３５にネジやビス等により固定されるものである。ガイド部材１２は、略コ字状に形成され、このコ字状の下辺の係合部１２ａが第２筐体３の下面から突出してガイド溝１１に係合するようになっている。
【００１９】
これにより、第１筐体２と第２筐体３とがガイド溝１１とガイド部材１２とを介してスライド係合し、ガイド部材１２がガイド溝１１の壁部に当接するか、近接している状態が閉成状態である。また、ガイド溝１１の開放されている端部に、ガイド溝１１にガイド部材１２を係合した後にストッパ１３を取り付けて、第１筐体２と第２筐体３とが閉成状態から開成状態にスライド移動したときにガイド部材１２がストッパ１３に当接するようにしてもよい。その結果、第１筐体２と第２筐体３とは、閉成状態から開成状態までの間で互いにスライド可能に係合されることになる。
【００２０】
なお、第１筐体２にガイド溝１１を設けると共に第２筐体３にガイド部材１２を設けたが、第２筐体にガイド溝を設けると共に第１筐体にガイド部材を設けるようにしてもよい。また、ガイド溝１１及びガイド部材１２の係合部１２ａは、ガイド溝１１及びガイド部材１２の係合部１２ａが図示するように直線状に形成されていることで、第１筐体２と第２筐体３とが側面視直線状にスライドするが、これに限定されず、例えば、ガイド溝及びガイド部材の係合部を湾曲状に形成して第１筐体と第２筐体とを側面視湾曲状にスライドするようにしてもよい。
【００２１】
ロック手段４は、第１筐体２及び第２筐体３を閉成状態にロックすることができれば、特に限定されず、例えば、第１筐体２に移動可能に設けられたロック凸部４１と、このロック凸部４１に係合し、第２筐体３に設けられたロック凹部４２とからなることが好ましい。
【００２２】
ロック凸部４１は、ロック部材４３の一端部に設けられている。ロック凸部４１は、第１筐体２の上面から先端が突出する形状に形成されている。ロック部材４３は、第２筐体３にその幅方向に移動可能に設けられている。このロック部材４３は、他端部が第１筐体２の左側面の上部と中央部との間に出没可能になるように配設されている。すなわち、ロック部材４３の他端部が解除部５である解除ボタン５１として形成されている。ロック部材４３には、解除ボタン５１を突出する方向に付勢する付勢手段であるコンプレッションスプリング４５が設けられている。
【００２３】
第２筐体３の下面には、ロック凸部４１が係合する係合溝３３がその長手方向に延びて設けられている。係合溝３３は、第１筐体２及び第２筐体３が閉成状態から開成状態までの間で互いにスライドするときに、ロック凸部４１が係合し得る寸法で形成されている。係合溝３３の一方の端部であって第１筐体２及び第２筐体３が閉成状態のときにロック凸部４１が位置される端部は、側部側に凹んだロック凹部４２が設けられている。これにより、第１筐体２及び第２筐体３が閉成状態のとき、ロック凸部４１とロック凹部４２とが係合して第１筐体２及び第２筐体３がロック状態に保持されると共に、解除ボタン５１を第１筐体２の側面内に没する方向に押し込むことによって、ロック凸部４１とロック凹部４２との係合が解除されるように構成されている。
【００２４】
ゼンマイバネユニット６は、例えば、第１筐体２及び第２筐体３のいずれか一方の筐体例えば第１筐体２に設けられるゼンマイバネ本体６１と、このゼンマイバネ本体６１から引き出されている長尺部材とからなることが好ましい。長尺部材としては、特に限定されないが、ワイヤー線６２等であることが好ましい。このワイヤー線６２の先端部には取付部６３が設けられている。取付部６３は、例えば、第２筐体３の下面に取り付けられるものであり、特に限定されず、例えば、リング状やフック状等に形成される。
【００２５】
ゼンマイバネ本体６１は、ワイヤー線６２を渦巻状に巻回してゼンマイバネ本体内に引き込むように付勢するものである。このゼンマイバネ本体６１は、第１筐体２の前端部近傍に収容されている。この第１筐体２の上面の前端部近傍には、ゼンマイバネ本体６１から引き出されたワイヤー線６２を挿通させる挿通孔２５が設けれている。この挿通孔２５を挿通したワイヤー線６２の取付部６３が第２筐体３の下面の下端部近傍に取り付けられており、第１筐体２及び第２筐体３が閉成状態から開成状態になるように付勢されている。
【００２６】
次に本発明に係る携帯電話機１の作用を説明する。
【００２７】
携帯電話機１が使用されていない状態は、第１筐体２と第２筐体３とが互いに重なり合った閉成状態（図１（ａ）、（ｃ）、（ｅ）及び図３（ａ）参照。）である。このとき、ロック手段４のロック凸部４１とロック凹部４２とが係合しているので、第１筐体２及び第２筐体３が閉成状態にロック状態に保持されている。
【００２８】
この携帯電話機１で通話等を行うには、解除ボタン５１を押し込み操作する。すると、ロック部材４３が第１筐体２内方向に移動してロック凸部４１とロック凹部４２との係合が解除されると共に、ゼンマイバネユニット６の付勢力によって例えば第１筐体２に対して第２筐体３が閉成状態から自動的にスライドして開成状態で第２筐体３の移動が停止する。これにより、第１筐体２の上面に設けたキーボード部２ａが露出するので、通話及びキーボード操作が可能となり、携帯電話機１を用いて通話等を行える状態になる。よって、解除ボタン５１を押し込み操作するだけで、第１筐体２及び第２筐体３が自動的に互いにスライドして開成状態になるので、操作性よく開成動作を行える。
【００２９】
携帯電話機１使用後、第１筐体２及び第２筐体３を閉成状態に戻すには、例えば、第１筐体２を固定した状態で第２筐体３を閉成方向に押してスライドさせる。そして、ガイド部材１２がガイド溝１１の壁部に当接すると、第１筐体２の上面が第２筐体３によって覆われた閉成状態になり、ロック凸部４１とロック凹部４２とが係合してロック状態に保持される。
【００３０】
したがって、本発明に係る携帯電話機１は、ゼンマイバネユニット６を用いたことにより、ゼンマイバネ本体６１を収納するスペースを例えば第１筐体２に設ければよいと共に、ワイヤー線６２が移動する可動範囲だけのスペースですむので、スペースの有効活用を可能として、携帯電話機１の長さを短くしたり、厚さを薄くしたり、その幅を短くすることができる。また、第１筐体２及び第２筐体３の互いの移動をワイヤー線６２の可動により行うために、ワイヤー線６２を直線状に配置したり湾曲状に配置したり、Ｒ状に這わせたりと、配置が自在になるので、第１筐体２と第２筐体３とのスライドを直線状に限定されず湾曲状に簡単な構造で行うことができる。このため、ゼンマイバネユニット６を用いて、第１筐体と第２筐体とを自動的に回動させてオープン動作を行う本発明に係る第２の携帯電話機の場合にも適用することができる。
【００３１】
次に、本発明に係る第２の携帯電話機を、図５及び図６を用いて説明するが、前記の第１の携帯電話機１と同じ部材には同じ名称を付し、その説明を省略することがある。第２の携帯電話機は、図５に示すように、第１筐体７２と第２筐体７３とを互いに重ね合わせた状態で相対的に第１筐体７２及び第２筐体７３の厚さ方向に延びる軸を中心に回動可能に連結させ、第１筐体７２及び第２筐体７３のいずれか一方の筐体例えば第１筐体７２の上面を第１筐体７２及び第２筐体７３のいずれか他方の筐体例えば第２筐体７３の下面で覆う閉成状態（図５（ａ）及び（ｃ））と、第１筐体７２の上面を露出させる開成状態（図５（ｂ）及び（ｄ））とを形成するものである。本発明に係る第２の携帯電話機７１は、第１筐体７２及び第２筐体７３を閉成状態にロックするロック手段４と、第１筐体７２に設けられ、ロック手段４によるロックを解除する解除部５と、第１筐体７２及び第２筐体７３を閉成状態から開成状態になるように付勢するゼンマイバネユニット６とを備えたことに特徴がある。
【００３２】
第１筐体７２と第２筐体７３との回動可能な連結は、特に限定されず、どのように構成してもよく、図５及び図６に示すように、例えば、ヒンジ装置７５を用いて行うようにしてもよい。ヒンジ装置７５は、第１筐体７２にネジやビス等により固定される第１ブラケット７６と、この第１ブラケットに例えば１８０°の回動範囲で連結され、第２筐体７３にネジやビス等により固定される第２ブラケット７７とからなる。このヒンジ装置７５を、第１筐体７２の上面を第２筐体７３の下面で覆う閉成状態から１８０°回転して第１筐体７２の上面を露出させる開成状態となるように第１筐体７２及び第２筐体７３に固定する。
【００３３】
ゼンマイバネユニット６のゼンマイバネ本体６１は、第１筐体７２の前端部近傍に収容されている。このゼンマイバネ本体６１から引き出されたワイヤー線６２をヒンジ装置７５の支軸７８の外周に懸架して湾曲状に配置し、この先端部の取付部６３を例えば第２ブラケット７７に取り付け、第１筐体７２及び第２筐体７３が閉成状態から開成状態になるように付勢するように構成する。
【００３４】
このように構成することにより、前述と同様に操作性よく開成動作を行える。すなわち、携帯電話機７１が使用されていない状態は、第１筐体７２と第２筐体７３が互いに重なり合った閉成状態（図５（ａ）及び（ｃ）参照。）である。このとき、ロック手段４により第１筐体７２及び第２筐体７３が閉成状態にロック状態に保持されている。この携帯電話機７１で通話等を行うには、解除ボタン５１を押し込み操作する。すると、ロック手段４による第１筐体７２及び第２筐体７３との係合が解除されて、ゼンマイバネユニット６の付勢力によって例えば第１筐体７２に対して第２筐体７３が閉成状態から自動的に１８０°回転して開成状態で第２筐体７３が停止する。これにより、第１筐体７２の上面に設けたキーボード部７２ａが露出するので、通話及びキーボード操作が可能となり、携帯電話機７１を用いて通話等を行える状態になる。よって、解除ボタン５１を押し込み操作するだけで、第１筐体７２及び第２筐体７３が自動的に互いに回転して開成状態になるので、操作性よく開成動作を行える。
【００３５】
携帯電話機７１を使用した後、第１筐体７２及び第２筐体７３を閉成状態に戻すには、例えば、第１筐体７２を固定した状態で第２筐体７３を逆方向に回転させる。そして、閉成状態になると、ロック手段４により第１筐体７２と第２筐体７３とが係合してロック状態に保持される。
【００３６】
したがって、本発明に係る携帯電話機７１は、ゼンマイバネユニット６を用いたことにより、ゼンマイバネ本体６１を収納するスペースを例えば第１筐体７２に設ければよいと共に、ワイヤー線６２が移動する可動範囲だけのスペースですむので、スペースの有効活用を可能として、携帯電話機７１の長さを短くしたり、厚さを薄くしたり、その幅を短くすることができる。
【産業上の利用可能性】
【００３７】
以上説明したように本発明に係る携帯機器は、第１筐体及び第２筐体を閉成状態にロックするロック手段と、一方の筐体に設けられ、ロック手段によるロックを解除する解除部と、第１筐体及び第２筐体を閉成状態から開成状態になるように付勢するゼンマイバネユニットとを備えたので、小スペース化を図れると共に簡単な構造で湾曲状にもスライドさせることができることから、携帯機器の中でもとくに携帯電話機として好適に用いられるものである。
【図面の簡単な説明】
【００３８】
【図１Ａ】本発明に係る携帯機器である第１の携帯電話機の一例を示す斜視図で、（ａ）は閉成状態を示す図、（ｂ）は開成状態を示す図である。
【図１Ｂ】本発明に係る携帯機器である第１の携帯電話機の一例を示す平面図で、（ｃ）は閉成状態を示す図、（ｄ）は開成状態を示す図である。
【図１Ｃ】本発明に係る携帯機器である第１の携帯電話機の一例を示す側面図で、（ｅ）は閉成状態を示す図、（ｆ）は開成状態を示す図である。
【図２】本発明に係る携帯機器である第１の携帯電話機の一例を示す概略分解図である。
【図３】本発明に係るロック手段の一例を示す図で、（ａ）は閉成状態を示す平面図、（ｂ）は開成状態を示す平面図である。
【図４】本発明に係るロック部材の一例を示す断面図で、（ａ）は概略横断面図、（ｂ）は概略水平断面図である。
【図５Ａ】本発明に係る携帯機器である第２の携帯電話機の一例を示す斜視図で、（ａ）は閉成状態を示す図、（ｂ）は開成状態を示す図である。
【図５Ｂ】本発明に係る携帯機器である第２の携帯電話機の一例を示す平面図で、（ｃ）は閉成状態を示す図、（ｄ）は開成状態を示す図である。
【図６】本発明に係るゼンマイバネユニットをヒンジに連結する一例を示す斜視図である。
【符号の説明】
【００３９】
１  携帯電話機
２  第１筐体
３  第２筐体
４  ロック手段
５  解除部
６  ゼンマイバネユニット
６１  ゼンマイバネ本体
６２  ワイヤー線
７１  携帯電話機
７２  第１筐体
７３  第２筐体
【図１Ａ】
0004676870.tif 000002
【図１Ｂ】
0004676870.tif 000003
【図１Ｃ】
0004676870.tif 000004
【図２】
0004676870.tif 000005
【図３】
0004676870.tif 000006
【図４】
0004676870.tif 000007
【図５Ａ】
0004676870.tif 000008
【図５Ｂ】
0004676870.tif 000009
【図６】
0004676870.tif 000010